【手続補正書】
【提出日】平成23年8月23日(2011.8.23)
【手続補正１】
【補正対象書類名】特許請求の範囲
【補正対象項目名】全文
【補正方法】変更
【補正の内容】
【特許請求の範囲】
【請求項１】
コンピュータシステムであって、
１つ以上のプロセッサと、
特許関連の文書を保存する１つ以上の記憶装置と、ユーザコンピュータシステムから検索クエリを受け取り、前記検索クエリに基づいて特許関連の文書の検索を実行し、
前記検索の結果として、文書の結果セットを取り出し、前記取り出された結果セットには、前記特許関連の文書のうちの少なくとも１つの、複数の特許ファミリーの重複文書が含まれ、
前記特許関連の文書のうちの前記少なくとも１つに関連付けられた１つ以上の特許ファミリーの重複文書を、前記特許ファミリーの重複文書を前記ユーザコンピュータシステムに返す前に、削除し、これによって前記削除された１つ以上の特許ファミリーの重複文書を含まない第２の結果セットを作成し、
前記第２の結果セットを閲覧するためのユーザインターフェースを提供し、前記ユーザインターフェースには、前記第２の結果セット内の文書のための異なる閲覧形式を表示するための少なくとも第１の表示領域が含まれるように、前記コンピュータシステムに命令するように構成される保存された命令と、を含む、コンピュータシステム。
【請求項２】
前記命令は、前記取り出された結果セットから全ての特許ファミリーの重複文書を、前記特許ファミリーの重複文書を前記ユーザコンピュータシステムに返す前に、削除するように、前記コンピュータシステムに命令するようにさらに構成される、請求項１に記載のコンピュータシステム。
【請求項３】
前記命令は、好適な審判機関に基づいて前記特許ファミリーの重複文書を削除するように、前記コンピュータシステムに命令するようにさらに構成される、請求項２に記載のコンピュータシステム。
【請求項４】
前記命令は、前記重複文書に関連する日付に基づいて特許ファミリーの重複文書をさらに削除するように、前記コンピュータシステムに命令するようにさらに構成される、請求項３に記載のコンピュータシステム。
【請求項５】
前記ユーザインターフェースは、前記第２の結果セットで文書の異なる閲覧形式を表示するための第２の表示領域をさらに含み、前記ユーザインターフェースは、ユーザが、前記第１の表示領域で第１の閲覧形式で、および、前記第２の表示領域で第２の閲覧形式で文書を閲覧できるように構成され、前記第１の閲覧形式および第２の閲覧形式は異なる閲覧形式である、請求項１に記載のコンピュータシステム。
【請求項６】
前記ユーザインターフェースは、ユーザが、第１の言語で前記第１の表示領域に前記第１の閲覧形式で文書を閲覧し、第２の言語で前記第２の表示領域に前記同じ第１の閲覧形式で前記同じ文書を同時に閲覧できるように構成され、前記第１の言語は前記第２の言語とは異なる、請求項５に記載のコンピュータシステム。
【請求項７】
前記検索クエリは、第１の言語の第１の組の検索語を含み、
前記検索の実行は、前記第１の言語とは異なる第２の言語で本来公開された、以前に保存された文書の第１言語の翻訳中で前記第１の組の検索語を検索するステップを含み、
前記文書結果セットの取り出しは、前記第１の言語で提出された前記組の検索語に基づき、前記第２の言語で公開された前記文書を取り出すステップを含む、請求項１に記載のコンピュータシステム。
【請求項８】
１つ以上の文書の状態が変更された場合に、自動的に警告メッセージを送る方法であって、
コンピュータシステムによって、ユーザから、第１の選択された特許の訴訟情報の状態を監視する命令を受け取るステップであって、前記訴訟情報が第１の選択された特許が新しい訴訟に含まれるかどうかの指標を含み、
前記コンピュータシステムによって、前記第１の選択された特許の訴訟情報の状態を監視するステップと、
前記第１の選択された特許の前記訴訟情報の状態が変更された場合に、前記コンピュータシステムによって、前記ユーザに、前記特許の状態が変更されたことを示す警告メッセージを送るステップと、を含む、方法。
【請求項９】
前記ユーザへ前記警告メッセージを送るステップは、前記第１の選択された特許の状態が変更されたことを示す、前記ユーザへの電子メールメッセージを送るステップを含む、請求項８に記載の方法。
【請求項１０】
前記電子メールメッセージは、前記第１の選択された特許の少なくとも一部分のコピーを含む、請求項９に記載の方法。
【請求項１１】
前記訴訟情報は引用情報を含み、
前記第１の選択された特許の前記訴訟情報の状態を監視するステップは、前記第１の選択された特許が、以降に公開される文書で引用されるかどうかを監視するステップと、
前記第１の選択された特許が以降に公開される文書で引用された後、前記警告メッセージを前記ユーザに送るステップと、を含む、請求項８に記載の方法。
【請求項１２】
前記警告メッセージは、前記第１の選択された特許が以降に公開される文書で引用されたことを示す、請求項１１に記載の方法。
【請求項１３】
前記コンピュータシステムによって、前記ユーザから、前記第１の選択された特許に関する第２の種類の情報の状態を監視する命令を受け取るステップと、
前記コンピュータシステムによって、前記第１の選択された特許に関する前記第２の種類の情報の状態を監視するステップと、
前記第１の選択された特許に関する前記訴訟情報または前記第２の種類の情報のいずれかの状態が変更された場合に、前記コンピュータシステムによって、前記ユーザに、前記第１の選択された特許の状態が変更されたことを示す警告メッセージを送信するステップと、をさらに含む、請求項８に記載の方法。
【請求項１４】
コンピュータシステムによって、ユーザから、第２の選択された特許に関する前記訴訟情報の状態を監視する命令を受け取るステップと、
前記コンピュータシステムによって、前記第２の選択された特許に関する前記訴訟情報の状態を監視するステップと、
前記第２の選択された特許に関する前記訴訟情報の状態が変更された場合に、前記コンピュータシステムによって、前記ユーザに、前記第２の選択された特許の状態が変更されたことを示す警告メッセージを送るステップと、をさらに含む、請求項８に記載の方法。
【請求項１５】
文書の検索方法であって、
コンピュータシステムによって、解析すべき選択された文書の組の指標を受け取るステップであって、前記文書は複数の情報フィールドを含む、ステップと、
前記コンピュータシステムによって、前記複数のフィールドのうちの第１の選択されたフィールドの指標を受け取るステップと、
前記選択された文書の組の指標と、第１の選択されたフィールドの指標との受領に応答して、前記コンピュータシステムによって、前記第１の選択されたフィールドを複数の第１のサブカテゴリに分類し、前記第１のサブカテゴリをグラフィカルに表示する第１のグラフィカル表示を提供するステップと、
前記コンピュータシステムによって、前記第１のグラフィカル表示の一部分、または前記第１のグラフィカル表示の前記一部分に関連するテキスト情報の選択を受け取り、それにより、前記第１の選択されたフィールドの前記第１のサブカテゴリのうちの１つの選択を受け取るステップと、
前記選択の受信に応答して、前記コンピュータシステムによって、前記選択された第１のサブカテゴリに一致する情報を含む文書リストを提供するステップと、を含む、方法。
【請求項１６】
前記第１のグラフィカル表示はグラフであり、
前記第１のグラフィカル表示の前記一部分、または前記第１のグラフィカル表示の前記一部分に関連するテキスト情報の選択を受け取るステップは、前記グラフの一部分または前記グラフの前記一部分に関連するテキスト情報の選択を受け取るステップと、
前記グラフの前記一部分または前記グラフの前記一部分に関連するテキスト情報の前記選択の受領に応答して、強調された前記一部分を有する前記グラフの表示を提供するステップと、前記強調されたグラフと同時に、前記選択された第１のサブカテゴリと一致する情報を含む前記文書リストの表示を提供するステップとを含む、請求項１５に記載の方法。
【請求項１７】
前記コンピュータシステムによって、前記複数のフィールドのうちの第２の選択されたフィールドの指標を受け取るステップと、
前記第２の選択されたフィールドの指標の受領に応答して、前記コンピュータシステムによって、前記第２の選択されたフィールドを複数の第２のサブカテゴリに分類し、前記第２のサブカテゴリをグラフィカルに表示する第２のグラフィカル表示を提供するステップと、
前記コンピュータシステムによって、前記第２のグラフィカル表示または前記第２のグラフィカル表示の前記一部分に関連するテキスト情報の一部分の選択を受け取り、それにより、前記第２の選択されたフィールドの前記第２のサブカテゴリの１つの選択を受け取るステップと、
前記選択の受領に応答して、前記コンピュータシステムによって、前記選択された第１のサブカテゴリと前記選択された第２のサブカテゴリとに一致する情報を含む文書リストを提供するステップと、をさらに含む、請求項１６に記載の方法。
【請求項１８】
前記選択された文書の組は、少なくとも１つの特許と少なくとも１つの公開特許出願とのうちの１つ以上を含み、前記文書リストは、少なくとも１つの特許と、少なくとも１つの公開特許出願とのうちの１つ以上のリストを含む、請求項１５に記載の方法。
【請求項１９】
前記選択された文書の組は、少なくとも１つの特許と、少なくとも１つの公開特許出願とのうちの１つ以上を含み、前記文書の組は、グラフィカルユーザインターフェース（ＧＵＩ）に表示される作業フォルダから、ユーザによって選択され、
前記第１のグラフィカル表示および前記文書リストが、前記作業フォルダと同じＧＵＩで表示するために、前記ユーザに提供される、請求項１５に記載の方法。